(57)【要約】【課題】装置の切替え等による操作の煩雑さを解消し、適切なタイミングで画像を表示できる書画カメラ装置を提供する。【解決手段】書画カメラ装置が、カメラ部と外部から供給された資料画面を表示する画面表示装置とを備え、画面表示装置の表示画面とカメラ部とを対向配置し、カメラ部が表示画面の資料画面と、カメラ部と資料画面との間に介在させた撮影対象物とを共に撮影した画像データを表示する。【選択図】　　　　図１
2004040521.tif 000002
【特許請求の範囲】
【請求項１】
カメラ部と、外部から供給された資料画面を表示する画面表示装置とを備え、
前記画面表示装置の表示画面と前記カメラ部とを対向配置し、前記カメラ部が、前記表示画面の資料画面と、カメラ部と資料画面との間に介在させた撮影対象物とを共に撮影した画像データを表示することを特徴とする書画カメラ装置。
【請求項２】
請求項１において、
前記表示画面に、該表示画面を覆う画面位置検出手段を設け、該画面位置検出手段によって取得した手書データの軌跡を、前記表示画面の資料画面に重ねて表示することを特徴とする書画カメラ装置。
【請求項３】
請求項２において、
前記画面表示装置に対して外部から資料画面を供給する資料画面供給装置を設け、前記表示画面に操作ボタンを表示し、選択された操作ボタンを前記画面位置検出手段が検出し、この検出信号によって、前記資料画面供給装置を制御することを特徴とする書画カメラ装置。
【請求項４】
請求項１から請求項３において、
前記表示画面の近傍に説明者の顔を映す鏡を設け、前記カメラ部が、前記表示画面の資料画面と共に前記鏡に映った説明者の顔の像を撮影することを特徴とする書画カメラ装置。
【請求項５】
請求項１から請求項４において、
前記カメラ部が撮影倍率変更可能なカメラ部であり、その撮影倍率を検出する撮影倍率検出手段を設け、該撮影倍率検出手段で検出された撮影倍率に基づいて前記撮影倍率変更可能なカメラ部の撮影領域を前記表示画面の資料画面に重ねて表示することを特徴とする書画カメラ装置。
【請求項６】
請求項１から請求項５において、
前記表示画面に表示されている資料画面を一時消去し、その全ての面に背景色を表示することを特徴とする書画カメラ装置。
【請求項７】
カメラ部と、資料画面を表示する画面表示装置とを備え、
前記画面表示装置に資料画面を供給する資料画面供給装置の制御部を、
前記画面表示装置に資料画面を供給する資料画面出力手段と、
前記画面表示装置の表示画面に設けた画面位置検出手段によって取得した手書データを受付ける手書データ受付手段と、
前記資料画面と前記手書データの軌跡を重ねて表示する手書画面表示手段と、
前記画面表示装置の表示画面に操作ボタンを表示する操作ボタン表示手段と、
選択された前記操作ボタンの前記画面位置検出手段による検出信号を受付ける検出信号受付手段と、
前記検出信号によって、前記選択された処理に分岐する選択処理分岐手段として機能させることを特徴とする書画カメラ装置のプログラム。
【発明の詳細な説明】
【０００１】
【発明の属する技術分野】
本発明は、カメラ部で撮影した画像データを離れた場所に表示する書画カメラ装置およびそのプログラムに関する。
【０００２】
【従来の技術】
この種の書画カメラ装置の従来技術としては、特開平１１−１５１２０７号の技術がある。
これは、患者に送信する画像等を表示するモニタディスプレイの画面にタッチパネルを組込み、複数のアイコンを画面に表示して入力操作を容易にすると共に、フラットヘッド型バックライトと対向する書画用カメラによってフラットヘッド型バックライト上に載せられた印刷物または現像済みのレントゲンフィルム等を撮影した画像、モニタディスプレイの手前に別に設けた対話用カメラによって撮影した医師の顔およびデータベースに記録されているＣＴスキャン等の画像を遠隔地の患者へ送信して表示するという技術である。
【０００３】
【発明が解決しようとする課題】
しかしながら、上述した従来の技術においては、データファイル化されたＣＴスキャン等の資料と紙に印刷された印刷物や現像済みのフィルムの画像等を併用する場合は、装置の切替え等により操作が煩雑になり、適切なタイミングでの画像の表示が困難であるという問題がある。
【０００４】
本発明は、上記の問題点を解決するためになされたもので、装置の切替え等による操作の煩雑さを解消し、適切なタイミングで画像を表示できる書画カメラ装置を提供することを目的とする。
【０００５】
【課題を解決するための手段】
本発明は、上記課題を解決するために、書画カメラ装置が、カメラ部と外部から供給された資料画面を表示する画面表示装置とを備え、前記画面表示装置の表示画面と前記カメラ部とを対向配置し、前記カメラ部が前記表示画面の資料画面と、カメラ部と資料画面との間に介在させた撮影対象物とを共に撮影した画像データを表示することを特徴とする。
【０００６】
また、カメラ部と資料画面を表示する画面表示装置とを備える書画カメラ装置のプログラムを実行する前記画面表示装置に資料画面を供給する資料画面供給装置の制御部を、前記画面表示装置に資料画面を供給する資料画面供給装置の制御部を、前記画面表示装置に資料画面を供給する資料画面出力手段と、前記画面表示装置の表示画面に設けた画面位置検出手段によって取得した手書データを受付ける手書データ受付手段と、前記資料画面と前記手書データの軌跡を重ねて表示する手書画面表示手段と、前記画面表示装置の表示画面に操作ボタンを表示する操作ボタン表示手段と、選択された前記操作ボタンの前記画面位置検出手段による検出信号を受付ける検出信号受付手段と、前記検出信号によって、前記選択された処理に分岐する選択処理分岐手段として機能させることを特徴とする。
【０００７】
【発明の実施の形態】
以下に、図面を参照して本発明による書画カメラ装置の実施の形態について説明する。
第１実施の形態例
図１は第１実施の形態を示す斜視図、図２はそのコンピュータを示すブロック図である。
【０００８】
１は資料画面供給装置としてのパーソナルコンピュータ等のコンピュータであり、データファイル化された資料等の資料画面を作成して供給する「資料画面供給プログラム」を実行する。
２は画面表示装置であり、コンピュータ１と接続し、鮮明な画像を表示することができるＬＣＤ等の表示画面３を有しており、コンピュータ１から供給された資料画面等を表示する。
【０００９】
また、画面表示装置２は略平板状に製作され、机上等に置いたときに表示画面３が略水平になるように構成されている。
４はマウスであり、コンピュータ１と接続し、遠隔医療の医師や講演会の講師、ラボ教室の教師等の説明者が説明用の資料画面の切替え等の操作を行うために使用する。
【００１０】
５はカメラ部であり、画面表示装置２の表示画面３と対向する位置に配置され、ＣＣＤ（Ｃｈａｒｇｅ　Ｃｏｕｐｌｅｄ　Ｄｅｖｉｃｅ）を用いたビデオカメラ等の撮影した画像を画像データに変換する機能を有するカメラであり、自動焦点機能を備えており、比較的焦点深度が深くなるよう設定されている。
６は支柱であり、カメラ部５の撮影視野に画面表示装置２の表示画面３に表示される資料画面の全てが入るようにカメラ部５を支える。
【００１１】
なお、支柱６は画面表示装置２のフレーム等に固定するようにしてもよく、別に設けた台座に固定し、画面表示装置２に隣接して設置するようにしてもよい。
７はプロジェクタであり、カメラ部５と接続されてカメラ部５から離れた場所に設置されており、カメラ部５が撮影した画像データをスクリーン８に投射して表示する。
【００１２】
図２において、１１はコンピュータ１の制御部であり、コンピュータ１の各部を制御する。
１２は記憶部であり、制御部１１が実行する資料画面供給プログラムや制御部１１による処理結果等を格納する。
１３は表示部であり、画面表示装置２と接続しており、制御部１１から送られた資料画面等を画面表示装置２の表示画面３が表示できる画面表示データに変換する機能を有している。
【００１３】
１４は入力部であり、マウス４と接続しており、マウス４の出力を受入れて制御部１１が利用できる入力データに変換する機能を有している。
１５は記録媒体読取書込部であり、挿入されたフロッピディスク等の記録媒体に記録されているデータファイル化された説明資料データ等を読取ると共に制御部１１による処理結果等を記録媒体に書込む機能を有している。
【００１４】
上述したの構成の作用について説明する。
説明者は、予め説明用の資料を説明の順序を示す頁識別番号と共にデータファイル化した説明資料データを記録媒体に記録して準備する。
説明者が書画カメラ装置を用いて説明を行う場合のコンピュータ１が実行する画面供給処理の作動について、図３に示すフローチャートを用い、Ｓで示すステップに従って説明する。
【００１５】
Ｓ１、説明者は、コンピュータ１によって資料画面供給プログラムを立上げ、準備した記録媒体を記録媒体読取書込部１５へ挿入する。
コンピュータ１の制御部１１は、記録媒体読取書込部１５に挿入されている記録媒体から説明資料データを記録媒体読取書込部１５によって読取り、これを頁識別番号の順に並べて記憶部１２に格納すると共に、現在頁識別番号を「０」として記憶部１２に保存する一方、最終頁識別番号を抽出して記憶部１２に保存する。
【００１６】
これと並行して制御部１１は、表示部１３によって画面表示装置２に、説明資料の表題等の開始画面を供給して表示画面３に表示する。
Ｓ２、開始画面の供給が終了すると、制御部１１は入力部１４からの信号を待つ入力割込待状態で待機する。
説明者はマウス４によって説明用の資料画面を切替えるため、マウス４のボタンをクリックする。
【００１７】
この信号を入力部１４が受付けて制御部１１へ送付すると、制御部１１はこれを契機としてステップＳ３へ分岐する。
Ｓ３、制御部１１は、入力部１４からの信号によって表示頁の設定を行う。
すなわち、マウス４からの信号が「左クリック」の信号であれば、次の資料画面を表示するために記憶部１２の現在頁識別番号に「１」を加えて更新し、「右クリック」の信号であれば、一つ前の資料画面を表示するために現在頁識別番号から「１」を減じて更新する。
【００１８】
Ｓ４、制御部１１は、更新された現在頁識別番号と記憶部１２に保存している最終頁識別番号とを比較し、更新された現在頁識別番号が最終頁識別番号より大きい場合は、終了と判断して資料画面供給プログラムを終了させる。それ以外の場合はステップＳ５へ移行する。
Ｓ５、制御部１１は、更新された現在頁識別番号が「０」以下の場合は、エラーと判断してステップＳ６へ移行する。更新された現在頁識別番号が「０」よりも大きい場合はステップＳ７へ移行する。
【００１９】
Ｓ６、制御部１１は、最初の資料より前の頁を指定した旨を表示するエラー画面を生成し、これを表示部１３によって画面表示装置２に供給して表示画面３に表示されている資料画面に重ねて表示し、ステップＳ２へ戻って入力割込待状態で待機する。
説明者は表示されたエラー画面によってその内容を確認し、改めてマウス４のボタンを押下することにより説明の継続を行うようにする。
【００２０】
Ｓ７、制御部１１は資料画面作成処理を行う。
すなわち、制御部１１は、更新された現在頁識別番号を基に、記憶部１２に格納されている説明資料データの該当する頁識別番号を有する説明資料データを特定し、これに表示枠等の所定の内容を追加する等して資料画面を作成する。
Ｓ８、制御部１１は、資料画面を表示部１３によって画面表示装置２に供給して表示画面３に表示し、ステップＳ２へ戻って入力割込待状態で待機する。
【００２１】
このようにして、画面表示装置２の表示画面３には説明用の資料画面が表示され、対向配置されたカメラ部５によって表示画面３に表示された資料画面が撮影されてその画像データが離れた場所に設置されているプロジェクタ７へ送られ、スクリーン８に投射されて被説明者に表示される。
この時、カメラ部５は、表示画面３に表示された資料画面の部位を指した指先やペン等および資料画面上に置かれた実物試料やデータファイル化が間に合わなかった印刷物、講演会場等で手渡された印刷物等の撮影対象物も同時に撮影するため、これらを共に撮影した画像データをスクリーン投射して表示することも可能となる。
【００２２】
この作動を順次繰返すことによって、説明者の説明が終了する。
以上のように、本実施の形態では、データファイル化された説明資料を資料画面として画面表示装置に供給してその表示画面に表示し、画面上の指先や実物試料、印刷物等の撮影対象物をカメラ部が共に撮影して被説明者に表示するようにしたことによって、装置の切替え等による説明者の操作の煩雑さを解消でき、適切なタイミングで画像を表示することができる。
【００２３】
また、これによって資料画面の説明している部位の指差や実物試料の回転表示、その場で示された印刷物等の資料の表示等が可能となり、非説明者の理解を促進ことができる。
なお、ステップＳ７で説明した資料画面の作成は、ステップＳ１で記録媒体から説明資料データを読取ったときに、資料画面を作成して記憶部に説明の順序に従って格納し、これを順次表示するようにしてもよい。これによって画面の切替え時間の短縮を図ることができる。
【００２４】
また、資料画面供給プログラム自体に作画機能等を付与して説明資料を作成するようにし、これを資料画面データとして記憶部に格納して用いるようにしてもよい。
更に、画面表示装置の表示画面は略水平であるとして説明したが、表示画面を斜めに設置してカメラ部を可動式の支柱で支えて表示画面と対向配置可能とし、資料落下防止の枠を設けるようにしてもよい。これによって説明者の疲労を軽減することができる。
【００２５】
第２実施の形態例
図４は第２実施の形態を示す斜視図、図５はその表示画面の表示例、図６はそのカメラ部を示す側面図、図７はそのカメラ位置検出装置を示すブロック図、図８はそのコンピュータを示すブロック図である。
なお、上記第１実施の形態例と同様の部分は、同一の符号を付してその説明を省略する。
【００２６】
図４において、２１は画面表示装置であり、コンピュータ１と接続し、鮮明な画像を表示することができるＬＣＤ等の大型の表示画面２２と、この表示画面２２を覆いそれが透視可能なタッチパネルやタブレット等の画面位置検出手段２３との組合せ等で構成されており、コンピュータ１から供給された資料画面等を表示する一方、画面位置検出手段２３によって表示画面２２上の座標位置を検出して出力する。
【００２７】
大型の表示画面２２は、図５に示すように資料画面表示領域２４、補助画面表示領域２５およびボタン表示領域２６に区分され、それぞれの領域に以下に示す画面が表示される。
資料画面表示領域２４には、説明資料の資料画面が表示される他、カメラ部５が撮影視野を示すセットガイド２７が表示される。
【００２８】
補助画面表示領域２５には、説明原稿や患者のカルテ等の説明資料以外の補助資料が表示される。
ボタン表示領域２６には、操作ボタンが表示され、資料画面表示領域２４の画面のハードコピーを印刷するための「印刷」ボタンとその内容をデータとして保存するための「保存」ボタン、次の資料画面に移行するための「次頁」ボタン、一つ前の資料画面に戻るための「前頁」ボタンおよびＯＨＰシートのような透明なシートを表示する場合に背景色を変更するための「ＯＨＰ」ボタンが表示される。
【００２９】
２８は画像配信装置であり、カメラ部５が撮影した画像データをＬＡＮ（Ｌｏｃａｌ　Ａｒｅａ　Ｎｅｔｗｏｒａｋ）や通信回線等を利用した通信ネットワーク２９よって遠隔地等の離れた場所に設置されたディスプレイまたは端末に表示することが可能なように画像データを通信ネットワーク２９が利用できる言語に変換して送信する機能を有している。
【００３０】
３０はプリンタであり、コンピュータ１から出力された印刷データを紙葉類に印刷する。
図６において、３１はカメラ位置検出装置であり、支柱６に往復動可能に設置されたカメラ部５の位置を検出する。
なお、カメラ部５は撮影倍率の変更が可能なように、カメラ部５が支柱６の表示画面２２の反対側の端部に位置したときに、カメラ部５の撮影視野に資料画面表示領域２４の資料画面の全てが入るように設定され、説明者等によってカメラ部５が表示画面２２に近づけられたときに、撮影倍率が大きくなり、資料画面の部分が拡大されて撮影されるように構成されている。
【００３１】
図７において、３２はポテンショメータ等のカメラ位置センサであり、カメラ位置検出装置３１に組込まれおり、支柱６に往復動可能に設置されたカメラ部５の位置を検出するため、ポテンショメータの抵抗値の変化を電圧値の変化等を位置情報として出力する。
３３は位置検出回路であり、カメラ位置検出装置３１に組込まれており、カメラ位置センサ３２が出力した位置情報のアナログ値をデジタル値に変換するＡＤ（Ａｎａｌｏｇ　ｔｏ　Ｄｉｇｉｔａｌ）変換回路３４とデジタル値に変換された位置情報をコンピュータ１の入力部１４に出力するインターフェース回路３５とから構成されている。
【００３２】
図８において、４１は通信部であり、通信ネットワーク２９と接続しており、制御部１１と通信ネットワーク２９との間の通信を相互に行うため、それぞれが利用できる言語に相互に変換する機能を有している。
４２は印刷部であり、制御部１１から送られた印刷データをプリンタ３０が印刷できるデータに変換する機能を有している。
【００３３】
なお、入力部１４は、画面表示装置２に設けられた画面位置検出手段２３およびカメラ位置検出装置３１の位置検出回路３３と接続しており、それぞれの出力を受入れて制御部１１が利用できる入力データに変換する機能を有している。
上述した構成の作用について説明する。
説明者は、予め説明資料をその説明原稿等の補助資料と説明の順序を示す頁識別番号と共にデータファイル化して説明資料データを記録媒体または通信ネットワーク２９に接続したサーバや説明者のパーソナルコンピュータ等に記録して準備する。
【００３４】
説明者が書画カメラ装置を用いて説明を行う場合のコンピュータ１が実行する画面供給処理の作動について、図９〜図１４に示すフローチャートを用いて説明する。
なお、ステップ名は、図９はＳ、図１０はＳＡ、図１１はＳＢ、図１２はＳＣ、図１３はＳＤ、図１４はＳＥによって示す。
【００３５】
Ｓ１１（図９）、説明者は、コンピュータ１によって資料画面供給プログラムを立上げ、準備した記録媒体を記録媒体読取書込部１５へ挿入する。
コンピュータ１の制御部１１は、記録媒体読取書込部１５に挿入されている記録媒体から説明資料データを記録媒体読取書込部１５によって読取り、これを頁識別番号の順に並べて記録部１２に格納すると共に、現在頁識別番号を「０」として記憶部１２に保存する一方、最終頁識別番号を抽出して記憶部１２に保存する。
【００３６】
これと並行して制御部１１は、表示部１３によって画面表示装置２１へ説明資料の表題等の開始画面を供給して図５に示す表示画面２２の資料画面表示領域２４に表示する。
この時、ボタン表示領域２６の画面には、「印刷」「保存」「前頁」「次頁」「ＯＨＰ」ボタンの各操作ボタンが表示される。
【００３７】
なお、説明資料データがサーバ等に記録されている場合は、説明者は説明資料データが記録されているサーバ等のアドレス等を入力し、制御部１１は通信部４１によって通信ネットワーク２９を介して入力されたアドレスのサーバ等に接続し、記録されている説明資料データを読取って取得するようにする。
Ｓ１２、開始画面の供給が終了すると、制御部１１は入力部１４からの信号を待つ入力割込待状態で待機する。
【００３８】
また、制御部１１は、後述するステップＳ２４のカメラ部５の位置変化を監視する処理を並行して実行するマルチタスク処理を行っている。
説明者は、資料画面を切替える必要がある場合は、画面表示装置２１の表示画面２２のボタン表示領域２６に表示されている「次頁」または「前頁」ボタンを指で押下する。
【００３９】
資料画面表示領域２４に表示されている現在頁の資料画面の特定の部位に手書の説明を加える必要がある場合は、その資料画面に指またはペンや鉛筆等（以下、指等という。）で触れてその内容を記述する。
現在表示されている画面を印刷する必要がある場合は「印刷」ボタンを、これを記録媒体等に保存する必要がある場合は「保存」ボタンを指等で押下する。
【００４０】
ＯＨＰシート等の透明なシートや実物試料の表示のために背景色を変更する必要がある場合は「ＯＨＰ」ボタンを指等で押下する。
操作ボタンが押下された信号は、画面位置検出手段２３によって検出され、この検出信号を入力部１４が受付けて制御部１１へ送付すると、制御部１１はこれを契機としてステップＳ１３へ分岐する。
【００４１】
なお、操作ボタンの種類等の判断は、制御部１１が画面位置検出手段２３によって検出された指等が画面に触れた位置の座標位置と、予め設定されている操作ボタン等の座標位置とを照合して行う。
Ｓ１３、制御部１１は、入力部１４からの信号が「次頁」ボタンまたは「前頁」ボタンが押下された信号であればステップＳ１４へ、それ以外の信号であればステップＳ１９へ移行する。
【００４２】
Ｓ１４、制御部１１は表示頁の設定を行う。
すなわち、制御部１１は、入力部１４からの信号が「次頁」ボタンが押下された信号であれば記憶部１２の現在頁識別番号に「１」を加えて更新し、「前頁」ボタンが押下された信号であれば現在頁識別番号から「１」を減じて更新する。
Ｓ１５、制御部１１は、更新された現在頁識別番号と記憶部１２に保存している最終頁識別番号を比較し、更新された現在頁識別番号が最終頁識別番号より大きい場合は、終了と判断して資料画面供給プログラムを終了させる。それ以外の場合はステップＳ１６へ移行する。
【００４３】
Ｓ１６、制御部１１は、更新された現在頁識別番号が「０」以下の場合は、エラーと判断してステップＳ２３へ移行する。更新された現在頁識別番号が「０」よりも大きい場合はステップＳ１７へ移行する。
Ｓ１７、制御部１１は資料画面等作成処理を行う。
すなわち、制御部１１は、更新された現在頁識別番号を基に、記憶部１２に格納されている説明資料データの該当する頁識別番号を有する説明資料データを特定し、その説明資料に表示枠等の所定の内容を追加する等して資料画面を、その説明原稿等の補助資料によって補助画面を作成する。
【００４４】
Ｓ１８、制御部１１は、表示部１３によって資料画面および補助画面を画面表示装置２１へ供給してそれぞれの画面を表示画面２２の資料画面表示領域２４および補助画面表示領域２５に表示し、ステップＳ１２へ戻って入力割込待状態で待機する。
説明者は、補助画面を参照しながら資料画面の説明を行う。
【００４５】
Ｓ１９、制御部１１は、入力部１４からの信号が画面位置検出手段２３からの手書データの入力であるときは、接続子Ａを介して図１０に示すステップＳＡ１へ分岐する。それ以外のときはステップＳ２０へ移行する。
ＳＡ１、制御部１１は手書画面生成処理を行う。
すなわち、説明者が指等で資料画面表示領域２４の画面を触れながら記述した図形や文字等の座標位置を画面位置検出手段２３が順次検出して入力部１４へ出力し、これを入力部１４が制御部１１へ送付する。
【００４６】
制御部１１は、この座標位置を順次記憶して一定時間が経過すると、順次記憶していた座標位置を基に、その軌跡を所定の色および所定の太さの線とし、背景色を透明とした手書画面を生成する。
ＳＡ２、制御部１１は表示部１３によって手書画面を画面表示装置２１へ供給し、表示画面２２の資料画面表示領域２４に表示されている現在頁の資料画面に重ねて表示する。
【００４７】
ＳＡ３、制御部１１は、所定の時間座標位置の送付が停止した場合は、手書データの入力が終了したと判断し、接続子Ｆを介して図９に示すステップＳ１２へ戻って入力割込待状態で待機する。
座標位置の送付が継続している場合は、ステップＳＡ１へ戻り、手書画面生成処理を継続する。
【００４８】
なお、手書による表示が多くなり過ぎた場合等に用いる「手書消去」ボタンをボタン表示画面２６に設け、これによって手書画面を任意の時期に消去できるようにしてもよい。
Ｓ２０、制御部１１は、入力部１４からの信号が「印刷」ボタンが押下された信号であれば、接続子Ｂを介して図１１に示すステップＳＢ１へ分岐する。それ以外であればステップＳ２１へ移行する。
【００４９】
ＳＢ１、制御部１１は、画面表示装置２１の表示画面２２の資料画面表示領域２４に表示されている現在頁の資料画面および上記手書画面が重ねて表示されている場合はその画面も含んだ現在表示されている画面（以下、現在画面という。）の画面情報を取得する。
ＳＢ２、制御部１１は取得した画面情報を基にプリンタ３０によって印刷する印刷データを作成する。
【００５０】
ＳＢ３、制御部１１は、作成した印刷データを印刷部４２へ送付し、印刷部４２がこれをプリンタ３０が印刷できるデータに変換して出力する。
出力されたデータを受取ったプリンタ３０は、このデータを紙葉類等に印刷する。
印刷データの送付を終えた制御部１１は、接続子Ｆを介して図９に示すステップＳ１２へ戻って入力割込待状態で待機する。
【００５１】
Ｓ２１、制御部１１は、入力部１４からの信号が「保存」ボタンが押下された信号であれば、接続子Ｃを介して図１２に示すステップＳＣ１へ分岐する。それ以外であればステップＳ２２へ移行する。
ＳＣ１、制御部１１は、画面表示装置２１の表示画面２２の資料画面表示領域２４に表示されている現在画面の画面情報を取得する。
【００５２】
ＳＣ２、制御部１１は、取得した画面情報を基に、記録媒体に保存する保存データを作成する。
ＳＣ３、制御部１１は、作成した保存データを記録媒体読取書込部１５へ送付し、記録媒体読取書込部１５がこれを挿入されている記録媒体に記録して格納する。
【００５３】
保存データの送付を終えた制御部１１は、接続子Ｆを介して図９に示すステップＳ１２へ戻って入力割込待状態で待機する。
なお、保存データの格納は、記憶部１２または図示しない外部記憶装置に格納するようにしてもよい。
Ｓ２２、制御部１１は、入力部１４からの信号が「ＯＨＰ」ボタンが押下された信号であれば、接続子Ｄを介して図１３に示すステップＳＤ１へ分岐する。それ以外であればステップＳ２３へ移行する。
【００５４】
ＳＤ１、制御部１１は、画面表示装置２１の表示画面２２の資料画面表示領域２４に表示されている現在画面を一時消去する。
ＳＤ２、制御部１１は、実物試料や不透明な紙に印刷された資料等が鮮明に撮影されるように資料画面の全ての面を黒色や濃紺等の比較的濃い色にした実物試料背景色の背景色画面を画面表示装置２１へ供給して表示画面２２の資料画面表示領域２４に表示する。
【００５５】
ＳＤ３、制御部１１は、所定の時間以内に２回目の「ＯＨＰ」ボタンの押下があった場合はステップＳＤ４へ、所定の時間経過しても２回目の「ＯＨＰ」ボタンの押下がない場合はステップＳＤ５へ移行する。
ＳＤ４、制御部１１は、ＯＨＰシートのような透明なシートに印刷された資料が鮮明に撮影されるように資料画面の全ての面を白色や薄いブルー等の比較的薄い色にした透明資料背景色の背景色画面を画面表示装置２１へ供給して表示画面２２の資料画面表示領域２４に表示する。
【００５６】
ＳＤ５、制御部１１は、再度の「ＯＨＰ」ボタンの押下を待つ背景色画面終了待状態で待機し、再度「ＯＨＰ」ボタンが押下されたときに背景色画面の表示が終了したと判断し、これを契機としてステップＳＤ６へ移行する。
ＳＤ６、制御部１１は、背景色画面を消去し、一時消去した現在画面を画面表示装置２１に供給して表示画面２２の資料画面表示領域２４に再表示する。
【００５７】
現在画面の供給を終えた制御部１１は、接続子Ｆを介して図９に示すステップＳ１２へ戻って入力割込待状態で待機する。
なお、背景色の種類は補助画面表示領域２５等に背景色の種類を表示して選択できるようにしてもよい。
また、ステップＳＤ２で補助画面表示領域２５の画面上に実物試料背景色を表示するための「実物試料背景色」ボタン、透明資料背景色を表示するための「透明資料背景色」ボタンおよび現在画面を再表示するための「終了」ボタンを表示し、説明者がこれらのボタンを選択して各背景色や現在画面を切替えるようにしてもよい。
【００５８】
これによって、実物試料を説明した直後にＯＨＰシートに印刷された資料を表示する場合等の表示のタイミングを更に適切なものとすることができる。
Ｓ２３、制御部１１はエラー処理を行う。
すなわち、更新された現在頁識別番号が「０」以下であることを認識した場合は最初の資料画面より前の頁を指定した旨を、それ以外の場合はプログラムに含まれていない信号を受付けたと判断してその旨を表示するエラー画面を生成し、これを表示部１３によって画面表示装置２１に供給して表示画面２２の資料画面表示領域２４の現在画面に重ねて表示し、ステップＳ１２へ戻って入力割込待状態で待機する。
【００５９】
説明者は表示されたエラー画面によってその内容を確認し、改めてボタン表示領域２６の操作ボタンを押下することにより説明の継続を行うようにする。
このようにして、画面表示装置２２の表示画面２２には説明用の資料画面が表示され、これに対向配置されたカメラ部５によって表示画面２２の資料画面表示領域２４に表示された資料画面や実物資料、印刷物等が撮影され、その画像データは画像配信装置２８によって通信ネットワーク２９を経由して、遠隔医療の患者の自宅やラボ教室の学生の席等の離れた場所に設置されているディスプレイや端末に送れて患者や学生等の被説明者に表示される。
【００６０】
なお、講演会場のように一度に多数の聴衆等の被説明者に資料画面等を表示する必要がある場合には、第１実施の形態例と同様にしてプロジェクタによってスクリーン投射して表示するようにしてもよい。
また、ステップＳ２３で説明したエラー画面の表示は補助画面表示領域２５へ表示するようにしてもよい。これによって不要な画面が被説明者のディスプレイ等へ表示されることを防止することができる。
【００６１】
上記の過程で、資料画面や実物資料、印刷物等を拡大して表示する必要がある場合は、説明者は支柱６に往復動可能に設置されているカメラ部５を資料画面に近づけ、撮影倍率を大きくして資料画面等の部分を拡大した画面を表示して説明を行う。
以下にその場合にコンピュータが実行する画面供給処理の作動について図９および図１４に示すフローチャートを用いて説明する。
【００６２】
Ｓ２４、制御部１１は、マルチタスク処理によってカメラ部５の位置をカメラ位置検出装置３１の位置検出回路３３からの出力によって常に監視しており、入力部１４に入力される位置検出回路３３の出力に変化がない場合は位置変化入力待状態で待機し、位置検出回路３３の出力に変化があったことを契機として接続子Ｅを介して図１４に示すステップＳＥ１へ分岐する。
【００６３】
ＳＥ１、制御部１１は入力部１４によってカメラ部５の位置情報を取得する。すなわち、カメラ位置センサ３２がカメラ部５の位置情報を電圧値等によって出力し、このアナログ値をＡＤ変換回路３４がデジタル値に変換する。
デジタル値に変換された位置情報はインターフェース回路３５によってコンピュータ１の入力部１４を経由して制御部１１へ送られる。
【００６４】
制御部１１は、これによってカメラ部５と画面表示装置２１の表示画面２２との距離を位置情報として取得することができる。
ＳＥ２、制御部１１は表示画面２２の資料画面表示領域２４の全体をカメラ部５が撮影する撮影倍率を「１」とし、そのカメラ部５と表示画面２２の距離と取得した位置情報とによって撮影倍率を演算する。
【００６５】
上記カメラ位置検出装置３１およびステップＳＥ１、ＳＥ２よって撮影倍率検出手段が構成され、撮影倍率が検出される。
ＳＥ３、制御部１１は、検出された撮影倍率を基に、カメラ部５が撮影している表示画面２２の資料画面表示領域２４の撮影領域を演算し、これを図５に示すように拡大されて表示される撮影領域の４隅を示す鉤括弧状のセットガイド２７を透明な背景に表示したセットガイド画面を生成する。
【００６６】
ＳＥ４、制御部１１は、セットガイド画面を表示部１３によって画面表示装置２１に供給して表示画面２２の資料画面表示領域２４の現在画面に重ねて表示し、接続子Ｇを介して図９に示すステップＳ２４へ戻って位置変化入力待状態で待機する。
以上によって、非説明者のディスプレイ等の画面には拡大された資料画面等が表示される。
【００６７】
上記した作動を順次繰返すことによって、説明者の説明が終了する。
なお、実物試料背景色または透明資料背景色が表示されている場合に上記拡大操作が行われたときは、実物試料背景色または透明資料背景色においてもセットガイド２７が鮮明に表示されるように、白等の薄い色または黒色等の濃い色でセットガイドが表示されるようにする。
【００６８】
また、説明者が現在画面の特定の部位を拡大して表示する場合に、ボタン表示領域２６等に「移動」ボタンを設け、これによって拡大する部位を変更できるようにしてもよい。
すなわち、説明者は上記ステップＳ２４によって拡大されて表示される撮影領域のセットガイド２７を表示した後に、ボタン表示領域２６の「移動」ボタンを押下する。
【００６９】
制御部１１はステップＳ１９等と同様にして、入力部１４からの信号が「移動」ボタンが押下された信号であれば、現在画面の移動を行うルーチンへ分岐し、表示画面２２の資料画面表示領域２４に表示されている現在画面を説明者が指等で触れるのを待つ拡大位置入力待状態で待機する。
説明者が拡大すべき現在画面の部位の略中央を指等で触れ、指等を画面に触れながら資料画面表示領域２４に表示されているセットガイド２７の略中央へ指等を移動させる。
【００７０】
これを上記ステップＳＡ１と同様にして画面位置検出手段２３からの出力を制御部１１が移動データとして順次記憶し、一定時間経過後にも指等の移動が行われなくなったことによって移動データの入力終了を判断してその移動の始点と終点を認識する。
移動の始点と終点を認識すると、制御部１１は始点の現在画面の部位を終点の位置に移動させる移動処理を行い、拡大して表示する現在画面の部位をセットガイド２７の略中央の位置へ移動させる。
【００７１】
この作動は、「移動」ボタンの再押下または別に設けた「終了」ボタンや他の操作ボタンの押下を検知するまで継続され、制御部１１は上記ボタン操作が行われたことを契機として押下されたボタンの認識を維持しながら図９に示すステップＳ１２へ戻って入力割込待状態での待機または押下されたボタンに相当するルーチンへ分岐する。
【００７２】
これによって、現在画面の中央以外の場所に表示されている現在画面の部位を拡大して表示することが可能となる。
更に、カメラ部５が撮影する資料画面の撮影倍率の変更は、説明者が直接カメラ部５を往復動させて変更するとして説明したが、カメラ部５をサーボモータ等で往復動させる移動機構を設け、補助画面表示領域２５またはボタン表示領域２６に撮影倍率を大きくするための「ズームＵＰ」ボタンおよび撮影倍率を小さくするための「ズームＤＯＷＮ」ボタンを設けてこれによって撮影倍率の変更を行うようにしてもよい。
【００７３】
この場合に、カメラ部５にズーム機構や撮影倍率検出手段を内蔵し、これによって上記ボタンによる撮影倍率の変更を行うようにしてもよい。
更に、ステップＳ１５において、説明の終了は更新された現在頁識別番号が最終頁識別番号より大きいことによって判断するとして説明したが、ボタン表示領域２６に「終了」ボタンを設け、このボタンの押下によってプログラムの実行を終了するようにしてもよい。これによって任意のタイミングで説明を終了することができ、補足説明用に用意した説明資料等を飛ばして説明を行うことが可能となり、説明の効率化を図ることができる。
【００７４】
更に、資料画面の表示は順次行うとして説明したが、補助画面表示領域２５に説明資料の表題等と共に頁識別番号を表示すると共に現在頁を色替え等によって区別し、頁識別番号等を説明者が指等で選択して資料画面の切替えを行うようにしてもよい。これによって説明の効率化を更に図ることができる。
上記のように第２実施の形態例においては、第１実施の形態例の効果に加えて、資料画面に手書画面を重ねて表示することによって、説明を行っている部位を確実に被説明者へ伝えることができ、非説明者の理解を更に促進することができる。
【００７５】
また、画面表示装置の表示画面に操作ボタンを設け、この「次頁」「前頁」「印刷」「保存」等の操作ボタンの信号によってコンピュータのプログラムを制御するようにしたことによって、説明者が表示画面のみによって画面の切替え等が行えるようになり、更に操作の煩雑さを解消して適切なタイミングで画像を表示することができると共に、マウスを省略することができ書画カメラ装置の簡素化を図ることができる。
【００７６】
更に、画面表示装置の表示画面を大型の画面にしてボタン表示領域や補助画面表示領域をカメラ部の撮影視野の外に設けたことによって、被説明者への不要の画面の表示が防止できると共に、説明者はカルテや出欠表、出席者リスト等のデータ、説明原稿、特記事項等を同時に参照することが可能となり、より詳細な説明を行うことが可能となる。
【００７７】
更に、資料画面をこれに書き加えた手書画面と共に印刷や保存ができるようにしたことによって、説明に用いた資料を記録することが可能となる。
更に、カメラ部が撮影する資料画面の撮影倍率を変更可能とし、その撮影視野をセットガイドによって表示するようにしたことによって、撮影範囲が明確になり、表示の欠損を防止することができると共に、実物試料や印刷物等を置く場所が明確となって試料の位置合わせに要する時間を短縮することができる。
【００７８】
このことは特に通信ネットワークによってカメラ部が撮影した画像データを送信してディスプレイ等に表示する場合に、表示される画像の範囲の視認が容易となるため有効である。
更に、実物試料や印刷物等を表示する場合に背景色を濃い色や薄い色の一色とし、資料画面として表示することによって、実物試料や透明なシートを用いた印刷物であっても明瞭な表示を行うことができる。
【００７９】
更に、通信ネットワークを介して説明資料データを取得することができるようにしたことによって、補足説明のための実物試料や印刷物等を持参するだけで説明を行うことができるようになる他、インターネット等によって複数のサーバから説明資料データを取得することも可能となり、書画カメラ装置を携行しなくても説明を行うことが可能となる。
【００８０】
第３実施の形態例
図１５は第３実施の形態を示す斜視図、図１６はその説明図である。
なお、上記第１実施の形態例と同様の部分は、同一の符号を付してその説明を省略する。
図１５、図１６において、５１は鏡であり、画面表示装置２の表示画面３の近傍に設けられ、説明者の顔の像が反射によってカメラ部５の撮影視野に入るように傾斜した鏡面５２を有している。
【００８１】
上記の構成の作用について説明する。
説明者が画面表示装置２の表示画面３の資料画面を見ながら説明を行うと、説明者の顔の像が鏡５１の鏡面５２によって反射され、説明者の顔がカメラ部５によって撮影される。
カメラ部５が撮影した画像は、プロジェクタ７へ送られスクリーン８に説明者の顔と共に表示される。
【００８２】
これによって、第１実施の形態例の効果に加えて、説明者の顔を撮影する別に設けたカメラを省略でき、書画カメラ装置の簡素化を図ることができると共に、説明者の表情を資料画面と同時に被説明者に伝えることができる。このことは特に被説明者が患者や学生の場合に、被説明者の安心感を高めることができ有効である。
【００８３】
なお、上記各実施の形態例においては、画面位置検出手段は画面を指等で触れて押圧することで画面上の位置を検出するとして説明したが、超音波や電波によって画面上の位置を検出するタブレット等を画面位置検出手段として設けた場合に、それに用いる超音波や電波の発信機を内蔵したペン等によって行うようにすれば、本発明と同様の効果を得ることができる。
【００８４】
更に、上記各実施の形態例においては、コンピュータや画面表示装置、カメラ部、別々に設置するとして説明したが、これらを一つの装置に統合、または一つの筐体に梱包できるようにしてもよい。これによって書画カメラ装置の携行が容易となる。
この場合に、プロジェクタは別々であってもよく、統合した装置に組込むようにしてもよい。
【００８５】
【発明の効果】
以上述べたように、本発明は、データファイル化された説明資料を資料画面として画面表示装置に供給してその表示画面に表示し、画面上の指先や実物試料、印刷物等の撮影対象物をカメラ部が共に撮影して被説明者に表示するようにしたことによって、装置の切替え等による説明者の操作の煩雑さを解消でき、適切なタイミングで画像を表示することができるという効果が得られる。
【図面の簡単な説明】
【図１】第１実施の形態を示す斜視図
【図２】第１実施の形態のコンピュータを示すブロック図
【図３】第１実施の形態の画面供給処理を示すフローチャート
【図４】第２実施の形態を示す斜視図
【図５】第２実施の形態の表示画面の表示例
【図６】第２実施の形態のカメラ部を示す側面図
【図７】第２実施の形態のカメラ位置検出装置を示すブロック図
【図８】第２実施の形態のコンピュータを示すブロック図
【図９】第２実施の形態の画面供給処理を示すフローチャート１
【図１０】第２実施の形態の画面供給処理を示すフローチャート２
【図１１】第２実施の形態の画面供給処理を示すフローチャート３
【図１２】第２実施の形態の画面供給処理を示すフローチャート４
【図１３】第２実施の形態の画面供給処理を示すフローチャート５
【図１４】第２実施の形態の画面供給処理を示すフローチャート６
【図１５】第３実施の形態を示す斜視図
【図１６】第３実施の形態を示す説明図
【符号の説明】
１　　コンピュータ
２、２１　画面表示装置
３、２２　表示画面
４　　マウス
５　　カメラ部
６　　支柱
７　　プロジェクタ
８　　スクリーン
１１　制御部
１２　記憶部
１３　表示部
１４　入力部
１５　記録媒体読取書込部
２３　画面位置検出手段
２４　資料画面表示領域
２５　補助画面表示領域
２６　ボタン表示領域
２７　セットガイド
２８　画像配信装置
２９　通信ネットワーク
３０　プリンタ
３１　カメラ位置検出装置
３２　カメラ位置センサ
３３　位置検出回路
３４　ＡＤ変換回路
３５　インターフェース回路
４１　通信部
４２　印刷部
５１　鏡
５２　鏡面
【図１】
2004040521.tif 000003
【図２】
2004040521.tif 000004
【図３】
2004040521.tif 000005
【図４】
2004040521.tif 000006
【図５】
2004040521.tif 000007
【図６】
2004040521.tif 000008
【図７】
2004040521.tif 000009
【図８】
2004040521.tif 000010
【図９】
2004040521.tif 000011
【図１０】
2004040521.tif 000012
【図１１】
2004040521.tif 000013
【図１２】
2004040521.tif 000014
【図１３】
2004040521.tif 000015
【図１４】
2004040521.tif 000016
【図１５】
2004040521.tif 000017
【図１６】
2004040521.tif 000018